(57)【要約】  セルラー通信ネットワークにおいてキャリアアグリゲーション方式に従って動作する無線デバイスのためのセカンダリセル（ｓＣｅｌｌ）選択のためのシステム及び方法が開示される。１つの実施形態において、ネットワークノードは、無線デバイスについての潜在的なｓＣｅｌｌのリストを取得する。上記ネットワークノードは、潜在的なｓＣｅｌｌのリストから、上記無線デバイスのためのｓＣｅｌｌを盲目的に選択する。そして、上記ネットワークノードは、選択されたｓＣｅｌｌと共に上記無線デバイスを構成する。いくつかの実施形態によれば、無線デバイスのためにｓＣｅｌｌを盲目的に選択することが、測定ギャップの使用を回避し、及びスループットのロスを低減することを可能とする。【選択図】図３
2016536821.tif 000002
【特許請求の範囲】
【請求項１】
ネットワークノードを動作させる方法であって、
無線デバイス（２２）についての潜在的なセカンダリセル（２４）のリストを取得することと、
潜在的なセカンダリセル（２４）の前記リストから、前記無線デバイス（２２）のためのセカンダリセルを盲目的に選択することと、
選択された前記セカンダリセルと共に前記無線デバイス（２２）を構成することと、
を含む方法。
【請求項２】
前記セカンダリセルを盲目的に選択することは、潜在的なセカンダリセル（２４）の前記リストから、ラウンドロビン方式に基づいて、前記セカンダリセルを選択すること、を含む、請求項１の方法。
【請求項３】
潜在的なセカンダリセル（２４）の前記リストから前記ラウンドロビン方式に基づいて前記セカンダリセルを盲目的に選択することは、潜在的なセカンダリセル（２４）の前記リスト内の、前回のセカンダリセルの選択のための前記ラウンドロビン方式の前回の反復が停止した位置とは異なる位置で、潜在的なセカンダリセル（２４）の前記リストにおいて前記ラウンドロビン方式を開始すること、を含む、請求項２の方法。
【請求項４】
潜在的なセカンダリセル（２４）の前記リストから前記ラウンドロビン方式に基づいて前記セカンダリセルを盲目的に選択することは、潜在的なセカンダリセル（２４）の前記リスト内の、前回のセカンダリセルの選択のための前記ラウンドロビン方式の前回の反復が停止した位置の直後の位置で、潜在的なセカンダリセル（２４）の前記リストにおいて前記ラウンドロビン方式を開始すること、を含む、請求項２の方法。
【請求項５】
前記セカンダリセルを盲目的に選択することは、潜在的なセカンダリセル（２４）の前記リストから、ランダム選択方式に基づいて、前記セカンダリセルを選択すること、を含む、請求項１の方法。
【請求項６】
前記無線デバイス（２２）から、選択された前記セカンダリセルよりも選択された前記セカンダリセルの隣接セルの方が良好であるという標識を受信することと、
前記標識の受信に応じて、前記隣接セルを前記無線デバイス（２２）のためのセカンダリセルとして、前記無線デバイス（２２）を構成することと、
をさらに含む、請求項１の方法。
【請求項７】
選択された前記セカンダリセルを、前記無線デバイス（２２）のためのセカンダリセルとしての構成から除外すること、をさらに含む、請求項６の方法。
【請求項８】
前記標識は、Ａ４イベントの標識である、請求項６の方法。
【請求項９】
前記標識は、Ａ６イベントの標識である、請求項６の方法。
【請求項１０】
選択された前記セカンダリセルと共に前記無線デバイス（２２）を構成した後に、前記無線デバイスから、選択された前記セカンダリセルが前記無線デバイス（２２）にとって受け入れ可能なセカンダリセルではないという標識を受信することと、それに応じて、
前記無線デバイス（２２）のための新たなセカンダリセルを、前記無線デバイス（２２）についての潜在的なセカンダリセル（２４）の前記リストから盲目的に選択することと、
前記無線デバイス（２２）のために選択された前記新たなセカンダリセルと共に前記無線デバイス（２２）を構成することと、
をさらに含む、請求項１の方法。
【請求項１１】
選択された前記セカンダリセルを、前記無線デバイス（２２）のためのセカンダリセルとしての構成から除外すること、をさらに含む、請求項１０の方法。
【請求項１２】
前記標識は、Ａ２イベントの標識である、請求項１０の方法。
【請求項１３】
選択された前記セカンダリセルと共に前記無線デバイス（２２）を構成した後に、前記無線デバイスから、選択された前記セカンダリセルが前記無線デバイス（２２）にとって受け入れ可能なセカンダリセルではないという標識を受信することと、それに応じて、
前記無線デバイス（２２）からの、選択された前記セカンダリセルよりも選択された前記セカンダリセルの隣接セルの方が良好であるという標識をモニタリングすることと、
選択された前記セカンダリセルよりも選択された前記セカンダリセルの前記隣接セルの方が良好であるという前記標識が定義済みの時間ピリオド内に受信されない場合に、前記無線デバイス（２２）のための新たなセカンダリセルを、前記無線デバイス（２２）についての潜在的なセカンダリセル（２４）の前記リストから、選択された前記セカンダリセルの動作周波数と同じ周波数で動作する潜在的なセカンダリセルを除いて盲目的に選択することと、
前記無線デバイス（２２）のために選択された前記新たなセカンダリセルと共に前記無線デバイス（２２）を構成することと、
をさらに含む、請求項１の方法。
【請求項１４】
前記無線デバイスから選択された前記セカンダリセルが前記無線デバイス（２２）にとって受け入れ可能なセカンダリセルではないという前記標識を受信することは、前記無線デバイスからＡ２イベントの標識を受信すること、を含み、
前記無線デバイス（２２）からの、選択された前記セカンダリセルよりも選択された前記セカンダリセルの前記隣接セルの方が良好であるという前記標識をモニタリングすることは、Ａ４イベントの標識及びＡ６イベントの標識からなる群から選択される標識をモニタリングすること、を含む、
請求項１３の方法。
【請求項１５】
潜在的なセカンダリセル（２４）の前記リストは、前記潜在的なセカンダリセルの動作周波数でソートされることにより、当該リスト内で複数の周波数グループを提供し、
前記セカンダリセルを盲目的に選択することは、ラウンドロビン方式に従って１つの周波数グループから前記セカンダリセルを盲目的に選択すること、を含み、
前記方法は、
選択された前記セカンダリセルと共に前記無線デバイス（２２）を構成した後に、前記無線デバイスから、選択された前記セカンダリセルが前記無線デバイス（２２）にとって受け入れ可能なセカンダリセルではないという標識を受信することと、それに応じて、
前記無線デバイス（２２）からの、選択された前記セカンダリセルよりも選択された前記セカンダリセルの隣接セルの方が良好であるという標識をモニタリングすることと、
選択された前記セカンダリセルよりも選択された前記セカンダリセルの前記隣接セルの方が良好であるという前記標識が定義済みの時間ピリオド内に受信されない場合に、前記無線デバイス（２２）のための新たなセカンダリセルを、前記ラウンドロビン方式に従って潜在的なセカンダリセル（２４）の前記リスト内の次の周波数グループから盲目的に選択することと、
前記無線デバイス（２２）のために選択された前記新たなセカンダリセルと共に前記無線デバイス（２２）を構成することと、
をさらに含む、請求項１の方法。
【請求項１６】
選択された前記セカンダリセルと共に前記無線デバイス（２２）を構成した後に、
選択された前記セカンダリセルが前記無線デバイス（２２）にとって受け入れ可能なセカンダリセルであるという標識、
選択された前記セカンダリセルが前記無線デバイス（２２）にとって受け入れ可能なセカンダリセルではないという標識、及び、
選択された前記セカンダリセルよりも選択された前記セカンダリセルの隣接セルの方が良好であるという、前記無線デバイス（２２）からの標識、
からなる群から選択される、前記無線デバイス（２２）からの少なくとも１つの標識をモニタリングすることと、
定義済みの時間ピリオド内に前記少なくとも１つの標識が受信されない場合に、前記無線デバイス（２２）についての潜在的なセカンダリセル（２４）の前記リストから、前記無線デバイス（２２）のための新たなセカンダリセルを盲目的に選択することと、
前記無線デバイス（２２）のために選択された前記新たなセカンダリセルと共に前記無線デバイス（２２）を構成することと、
をさらに含む、請求項１の方法。
【請求項１７】
潜在的なセカンダリセル（２４）の前記リストを取得することは、セカンダリセルとして構成するために利用可能なセルと前記無線デバイス（２２）のケイパビリティとの共通部分に基づいて前記リストを決定すること、を含む、請求項１の方法。
【請求項１８】
セカンダリセルとして構成するために利用可能な前記セルと前記無線デバイス（２２）の前記ケイパビリティとの共通部分に基づいて前記リストを決定することは、セカンダリセルとして構成するために利用可能な前記セルの動作周波数と、前記無線デバイス（２２）の周波数ケイパビリティとの共通部分に基づいて前記リストを決定すること、を含む、請求項１７の方法。
【請求項１９】
前記無線デバイス（２２）についての潜在的なセカンダリセル（２４）の前記リストは、第２の無線デバイス（２２）についての潜在的なセカンダリセル（２４）の第２のリストに含まれる潜在的なセカンダリセルの順序とは異なる順序で、潜在的なセカンダリセルを含む、請求項１の方法。
【請求項２０】
前記セカンダリセルを盲目的に選択する前に、潜在的なセカンダリセル（２４）の前記リストを重み付けすること、をさらに含む、請求項１の方法。
【請求項２１】
前記セカンダリセルを盲目的に選択する前に潜在的なセカンダリセル（２４）の前記リストを重み付けすることは、潜在的なセカンダリセル（２４）の前記リストへ１つ以上の冗長的なエントリを追加すること、を含む、請求項２０の方法。
【請求項２２】
前記セカンダリセルを盲目的に選択する前に潜在的なセカンダリセル（２４）の前記リストを重み付けすることは、潜在的なセカンダリセル（２４）の前記リスト内の１つ以上のエントリについての選択確率を調整すること、を含む、請求項２０の方法。
【請求項２３】
前記ネットワークノードは、無線ネットワークノードを含む、請求項１の方法。
【請求項２４】
前記無線ネットワークノードは、基地局（１６）を含む、請求項２３の方法。
【請求項２５】
セカンダリセルと共に無線デバイス（２２）を構成するための、プロセッサ（３０）とメモリ（３２）とを含むネットワークノードであって、前記メモリ（３２）は、前記プロセッサ（３０）により実行可能な命令を含み、それにより前記ネットワークノードは、
前記無線デバイス（２２）についての潜在的なセカンダリセル（２４）のリストを取得し、
潜在的なセカンダリセル（２４）の前記リストから、前記無線デバイス（２２）のためのセカンダリセルを盲目的に選択し、
選択された前記セカンダリセルと共に前記無線デバイス（２２）を構成する、
ように動作可能である、ネットワークノード。
【発明の詳細な説明】
【技術分野】
【０００１】
［関連出願］
本出願は、２０１３年９月２０日に提出された仮特許出願第６１／８８０，６８９号及び２０１４年４月１１日に提出された米国特許出願第１４／２５１，０２１号の利益を主張し、その開示は全体として参照によりここに取り入れられる。
【０００２】
［本開示の分野］
本開示は、セルラー通信ネットワークに関し、より具体的には、キャリアアグリゲーション方式に従って動作する無線デバイスのためのセカンダリセル選択に関する。
【背景技術】
【０００３】
キャリアアグリゲーションは、３ＧＰＰ（3rd  Generation  Partnership  Project）  ＬＴＥ（Long  Term  Evolution）Ａｄｖａｎｃｅｄリリース１０（ＬＴＥ  Ｒｅｌ−１０）において、ＬＴＥ−Ａｄｖａｎｃｅｄの特徴として取り入れられた。キャリアアグリゲーションを用いて、複数のコンポーネントキャリア（ＣＣ）を統合し、単一の無線デバイスとの間の送信のためにまとめて使用することができる。各コンポーネントキャリアは、１．４、３、５、１０又は２０メガヘルツ（ＭＨｚ）というＬＴＥリリース８（ＬＴＥ  Ｒｅｌ−８）帯域幅のうちのいずれを有することもできる。最大で５つまでのコンポーネントキャリアを統合することができ、最大統合帯域幅は１００ＭＨｚになる。さらに、各コンポーネントキャリアは、後方互換性を提供するようにＬＴＥ  Ｒｅｌ−８の構造を用いる（即ち、各コンポーネントキャリアは、ＬＴＥ  Ｒｅｌ−８キャリアとして見える）。
【０００４】
図１は、キャリアアグリゲーションの１つの例を示している。この例において、キャリア周波数Ｆ０、Ｆ１、Ｆ２、Ｆ３及びＦ４をそれぞれ有するセル１０−０ないし１０−４を統合することができる。この例では、セル１０−０ないし１０−４は、単一の基地局１２により送信される。特定の無線デバイスに関して、セル１０−０ないし１０−４のうちの１つが当該無線デバイスのプライマリセル（ｐＣｅｌｌ）としてサービスし、ｐＣｅｌｌは無線リソース制御（ＲＲＣ）接続をハンドリングする。ｐＣｅｌｌのコンポーネントキャリアを、プライマリコンポーネントキャリア（ＰＣＣ）という。上記無線デバイスのためにｐＣｅｌｌと統合される他のセルを、対応するセカンダリコンポーネントキャリア（ＳＣＣ）を有する、セカンダリセル（ｓＣｅｌｌ）という。無線デバイスのために統合されるセルの全てを、当該無線デバイスのサービングセルという。
【０００５】
セル１０−０ないし１０−４のカバレッジエリアは、コンポーネントキャリア周波数の違いに起因し、又は異なるコンポーネントキャリア上での電力計画に起因して、相違し得る。図１の例では、セル１０−０が最も大きいカバレッジエリアを有し、セル１０−０内に位置する無線デバイスＡ、Ｂ、Ｃ、Ｄ及びＦのためのｐＣｅｌｌとしてサービスする。セル１０−１ないし１０−４は、順に、より小さいカバレッジエリアを有し、無線デバイスＢないしＦのためのｓＣｅｌｌとしてサービスする。この例において、無線デバイスＡはｓＣｅｌｌのカバレッジを有さず、無線デバイスＢは１つのｓＣｅｌｌ（即ち、セル１０−１）についてのｓＣｅｌｌカバレッジを有し、無線デバイスＣは２つのｓＣｅｌｌ（即ち、セル１０−１及び１０−２）についてのｓＣｅｌｌカバレッジを有し、無線デバイスＤは３つのｓＣｅｌｌ（即ち、セル１０−１、１０−２及び１０−３）についてのｓＣｅｌｌカバレッジを有し、無線デバイスＦは４つのｓＣｅｌｌ（即ち、セル１０−１、１０−２、１０−３及び１０−４）についてのｓＣｅｌｌカバレッジを有する。従って、ｐＣｅｌｌの内部の無線デバイスの位置に依存して、無線デバイスは、ｓＣｅｌｌカバレッジを有しないかもしれず、又は１つ以上のｓＣｅｌｌのカバレッジを有するかもしれない。
【０００６】
キャリア周波数Ｆ０上のｐＣｅｌｌへ接続された無線デバイス（例えば、無線デバイスＡ）について、基地局１２は、通常、当該無線デバイスがｓＣｅｌｌカバレッジを有するかを判定するために、候補ｓＣｅｌｌを対象とする周波数間レイヤ３（Ｌ３）測定を開始する。例えば、基地局１２により通常開始される周波数間Ｌ３測定は、例えば、あるｓＣｅｌｌについての周波数間Ｌ３測定結果が閾値よりも良好となる場合にＡ４イベントがトリガされるような測定である。ＬＴＥの仕様において、Ａ４イベントは、隣接セルが閾値よりも良好となる場合に生じ、当該閾値をここではＡ４閾値という。図１の例において、Ａ４閾値が適正であれば、Ａ４イベントは、キャリア周波数Ｆ１上で、無線デバイスＢに、無線デバイスＢがセル１０−１を介してｓＣｅｌｌを有することを示すようなトリガを与えるであろう。対照的に、無線デバイスＦについては、Ａ４イベントは、キャリア周波数Ｆ１、Ｆ２、Ｆ３及びＦ４上で、無線デバイスＦがセル１０−１、１０−２、１０−３及び１０−４を介してｓＣｅｌｌカバレッジを有することを示すようなトリガを与えるであろう。この測定イベントトリガに基づいて、１つ以上のｓＣｅｌｌが選択され、ｓＣｅｌｌカバレッジを有する各無線デバイスのために構成される。
【０００７】
この通常のｓＣｅｌｌ選択プロセスに伴う１つの課題は、周波数間測定が測定ギャップを要し得ることである。測定ギャップは、アップリンク方向及びダウンリンク方向の双方でトラフィックの無い期間である。測定ギャップを用いてｓＣｅｌｌ選択のために周波数間測定を実行することで、構成されるギャップパターンに依存して、構成されるセル上で７〜１５％のスループットロスを招くことになる。
【０００８】
通常のｓＣｅｌｌ選択プロセスに伴うもう１つの課題は、候補ｓＣｅｌｌ上でいかなる測定（インター周波数又はイントラ周波数、ギャップあり又はギャップ無し測定）を実行するにも、パラメータｓ−Ｍｅａｓｕｒｅを無効化する必要があり得ることである。ＬＴＥ仕様において定義されているところでは、ｐＣｅｌｌのリファレンス信号受信電力（ＲＳＲＰ）の測定値がｓ−Ｍｅａｓｕｒｅを下回らない場合、無線デバイスは、候補ｓＣｅｌｌ上の測定を含むいかなる隣接セル測定も実行しなくてよく、これはバッテリー電力の節約のためである。よって、通常のｓＣｅｌｌ選択プロセスを用いる場合に、無線デバイスＡ、Ｂ、Ｃ、Ｄにより候補ｓＣｅｌｌ上の測定が実行されることを保証する目的で、ｓ−Ｍｅａｓｕｒｅパラメータを無効化しなければならないことになり、これは無線デバイスのバッテリー消費の増加を引き起こすであろう。
【０００９】
上の議論を踏まえると、改善されたｓＣｅｌｌ選択のためのシステム及び方法についてのニーズが存在する。
【発明の概要】
【００１０】
セルラー通信ネットワークにおいてキャリアアグリゲーション方式に従って動作する無線デバイスについてのセカンダリセル（ｓＣｅｌｌ）選択のためのシステム及び方法が開示される。１つの実施形態において、ネットワークノードは、無線デバイスについての潜在的なｓＣｅｌｌのリストを取得する。ネットワークノードは、潜在的なｓＣｅｌｌの上記リストから、上記無線デバイスのためのｓＣｅｌｌを盲目的に（blindly）選択する。そして、ネットワークノードは、選択された上記ｓＣｅｌｌと共に上記無線デバイスを構成する。無線デバイスのためのｓＣｅｌｌを盲目的に選択することで、いくつかの実施形態に従って、測定ギャップの使用を回避し、スループットのロスを低減することができる。
【００１１】
１つの実施形態において、上記ｓＣｅｌｌを盲目的に選択することは、潜在的なｓＣｅｌｌの上記リストから、ラウンドロビン方式に基づいて、上記ｓＣｅｌｌを選択すること、を含む。さらに、１つの実施形態において、潜在的なｓＣｅｌｌの上記リスト内の、前回のｓＣｅｌｌの選択のための上記ラウンドロビン方式の前回の反復が停止した位置とは異なる位置で、上記ラウンドロビン方式は開始される。他の実施形態において、潜在的なｓＣｅｌｌの上記リスト内の、前回のｓＣｅｌｌの選択のための上記ラウンドロビン方式の前回の反復が停止した位置の直後の位置で、潜在的なｓＣｅｌｌの上記リストにおいて上記ラウンドロビン方式は開始される。また別の実施形態において、上記ｓＣｅｌｌを盲目的に選択することは、潜在的なｓＣｅｌｌの上記リストから、ランダム選択方式に基づいて、上記ｓＣｅｌｌを選択すること、を含む。
【００１２】
１つの実施形態において、ネットワークノードが選択された上記ｓＣｅｌｌと共に上記無線デバイスを構成した後に、ネットワークノードは、上記無線デバイスから、選択された上記ｓＣｅｌｌよりも選択された上記ｓＣｅｌｌの隣接セルの方が良好であるという標識を受信する。上記標識の受信に応じて、ネットワークノードは、上記隣接セルを上記無線デバイスのｓＣｅｌｌとして、上記無線デバイスを構成する。さらに、１つの実施形態において、ネットワークノードは、選択された上記ｓＣｅｌｌを、上記無線デバイスのためのｓＣｅｌｌとしての構成から除外（deconfigure）する。１つの実施形態において、上記標識は、Ａ４イベントの標識である。他の実施形態において、上記標識は、Ａ６イベントの標識である。
【００１３】
１つの実施形態において、選択された上記ｓＣｅｌｌと共に上記無線デバイスを構成した後に、ネットワークノードは、上記無線デバイスから、選択された上記ｓＣｅｌｌが上記無線デバイスにとって受け入れ可能なｓＣｅｌｌではないという標識を受信する。それに応じて、ネットワークノードは、上記無線デバイスのための新たなｓＣｅｌｌを、上記無線デバイスについての潜在的なｓＣｅｌｌの上記リストから盲目的に選択する。そして、ネットワークノードは、上記無線デバイスのために選択された上記新たなｓＣｅｌｌと共に上記無線デバイスを構成する。１つの実施形態において、ネットワークノードは、選択された上記ｓＣｅｌｌを、上記無線デバイスのｓＣｅｌｌとしての構成から除外する。１つの実施形態において、上記標識は、Ａ２イベントの標識である。
【００１４】
１つの実施形態において、選択された上記ｓＣｅｌｌと共に上記無線デバイスを構成した後に、ネットワークノードは、上記無線デバイスから、選択された上記ｓＣｅｌｌが上記無線デバイスにとって受け入れ可能なｓＣｅｌｌではないという標識を受信する。それに応じて、ネットワークノードは、上記無線デバイスからの、選択された上記ｓＣｅｌｌよりも選択された上記ｓＣｅｌｌの隣接セルの方が良好であるという標識をモニタリングする。選択された上記ｓＣｅｌｌよりも選択された上記ｓＣｅｌｌの上記隣接セルの方が良好であるという上記標識が定義済みの時間ピリオド内に受信されない場合に、ネットワークノードは、上記無線デバイスのための新たなｓＣｅｌｌを、上記無線デバイスについての潜在的なｓＣｅｌｌの上記リストから盲目的に選択する。この盲目的な選択は、選択された上記ｓＣｅｌｌの動作周波数と同じ周波数で動作する潜在的なｓＣｅｌｌを除いて行われる。そして、ネットワークノードは、上記無線デバイスのために選択された上記新たなｓＣｅｌｌと共に上記無線デバイスを構成する。１つの実施形態において、上記無線デバイスからの、選択された上記ｓＣｅｌｌが上記無線デバイスにとって受け入れ可能なｓＣｅｌｌではないという上記標識は、Ａ２イベントの標識であり、選択された上記ｓＣｅｌｌよりも選択された上記ｓＣｅｌｌの上記隣接セルの方が良好であるという上記標識は、Ａ４イベント又はＡ６イベントの標識である。
【００１５】
１つの実施形態において、潜在的なｓＣｅｌｌの上記リストは、上記潜在的なｓＣｅｌｌの動作周波数でソートされ、当該リスト内で複数の周波数グループを提供する。また、上記ｓＣｅｌｌを盲目的に選択することは、ラウンドロビン方式に従って１つの周波数グループから上記ｓＣｅｌｌを盲目的に選択すること、を含む。選択された上記ｓＣｅｌｌと共に上記無線デバイスを構成した後に、ネットワークノードは、上記無線デバイスから、選択された上記ｓＣｅｌｌが上記無線デバイスにとって受け入れ可能なｓＣｅｌｌではないという標識を受信する。それに応じて、ネットワークノードは、上記無線デバイスからの、選択された上記ｓＣｅｌｌよりも選択された上記ｓＣｅｌｌの隣接セルの方が良好であるという標識をモニタリングする。選択された上記ｓＣｅｌｌよりも選択された上記ｓＣｅｌｌの上記隣接セルの方が良好であるという上記標識が定義済みの時間ピリオド内に受信されない場合に、ネットワークノードは、上記無線デバイスのための新たなｓＣｅｌｌを、上記ラウンドロビン方式に従って潜在的なｓＣｅｌｌの上記リスト内の次の周波数グループから盲目的に選択する。そして、ネットワークノードは、上記無線デバイスのために選択された上記新たなｓＣｅｌｌと共に上記無線デバイスを構成する。
【００１６】
１つの実施形態において、選択された上記ｓＣｅｌｌと共に上記無線デバイスを構成した後に、ネットワークノードは、上記無線デバイスからの少なくとも１つの標識をモニタリングする。当該少なくとも１つの標識は、選択された上記ｓＣｅｌｌが上記無線デバイスにとって受け入れ可能なｓＣｅｌｌであるという標識、選択された上記ｓＣｅｌｌが上記無線デバイスにとって受け入れ可能なｓＣｅｌｌではないという標識、又は、選択された上記ｓＣｅｌｌよりも選択された上記ｓＣｅｌｌの隣接セルの方が良好であるという標識、であり得る。定義済みの時間ピリオド内に上記少なくとも１つの標識が受信されない場合に、ネットワークノードは、上記無線デバイスについての潜在的なｓＣｅｌｌの上記リストから、上記無線デバイスのための新たなｓＣｅｌｌを盲目的に選択する。そして、ネットワークノードは、上記無線デバイスのために選択された上記新たなｓＣｅｌｌと共に上記無線デバイスを構成する。
【００１７】
１つの実施形態において、潜在的なｓＣｅｌｌの上記リストを取得することは、ｓＣｅｌｌとして構成するために利用可能なセルと上記無線デバイスのケイパビリティとの共通部分（intersection）に基づいて上記リストを決定すること、を含む。さらに、１つの実施形態において、潜在的なセルの上記リストは、ｓＣｅｌｌとして構成するために利用可能なセルの動作周波数と、上記無線デバイスの周波数ケイパビリティとの共通部分に基づいて決定される。
【００１８】
１つの実施形態において、上記無線デバイスについての潜在的なｓＣｅｌｌの上記リストは、第２の無線デバイスについての潜在的なｓＣｅｌｌの第２のリストを含む潜在的なｓＣｅｌｌの順序とは異なる順序で、潜在的なｓＣｅｌｌを含む。
【００１９】
１つの実施形態において、ネットワークノードは、上記ｓＣｅｌｌを盲目的に選択する前に、潜在的なｓＣｅｌｌの上記リストを重み付けする。さらに、１つの実施形態において、上記ｓＣｅｌｌを盲目的に選択する前の潜在的なｓＣｅｌｌの上記リストの重み付けは、潜在的なｓＣｅｌｌの上記リストへ１つ以上の冗長的なエントリを追加すること、を含む。他の実施形態において、上記ｓＣｅｌｌを盲目的に選択する前の潜在的なｓＣｅｌｌの上記リストの重み付けは、潜在的なｓＣｅｌｌの上記リスト内の１つ以上のエントリについての選択確率を調整すること、を含む。
【００２０】
１つの実施形態において、ネットワークノードは、無線ネットワークノードである。さらに、１つの実施形態において、上記無線ネットワークノードは、基地局である。
【００２１】
１つの実施形態において、ｓＣｅｌｌと共に無線デバイスを構成するためのネットワークノードは、プロセッサとメモリとを含む。上記メモリは、上記プロセッサにより実行可能な命令を含む。上記命令を実行することにより、ネットワークノードは、上記無線デバイスについての潜在的なｓＣｅｌｌのリストを取得する、ように動作可能である。ネットワークノードは、潜在的なｓＣｅｌｌの上記リストから、上記無線デバイスのためのｓＣｅｌｌを盲目的に選択する、ようにも動作可能である。ネットワークノードは、選択された上記ｓＣｅｌｌと共に上記無線デバイスを構成する、ようにも動作可能である。
【００２２】
当業者は、添付図面の図との関連において好適な実施形態の以下の詳細な説明を読んだ後に、本開示のスコープを理解し、それらの追加的な側面を認識するであろう。
【図面の簡単な説明】
【００２３】
本明細書に取り入れられその一部をなす添付図面の図は、本説明と共に、本開示の原理を説明するために供される。
【００２４】
【図１】セルラー通信ネットワークにおけるキャリアアグリゲーションの１つの例を示している。
【図２】本開示の１つの実施形態に従って基地局が無線デバイスのためのセカンダリセル（ｓＣｅｌｌ）選択を実行するセルラー通信ネットワークを示している。
【図３】本開示の１つの実施形態に従って無線デバイスをｓＣｅｌｌと共に構成するためのネットワークノードの動作を示している。
【図４】本開示の１つの実施形態に従って選択されたｓＣｅｌｌの隣接セルに関する標識を受信することを含む、ネットワークノードの動作を示している。
【図５】本開示の１つの実施形態に従って選択されたｓＣｅｌｌが受け入れ不可能ではないという標識を受信することを含む、ネットワークノードの動作を示している。
【図６】本開示の１つの実施形態に係る、選択されたｓＣｅｌｌの動作周波数と同じ周波数で動作する潜在的なｓＣｅｌｌの除外を含む、ネットワークノードの動作を示している。
【図７】本開示の１つの実施形態に係る、ラウンドロビン方式に基づくネットワークノードの動作を示している。
【図８】本開示の１つの実施形態に係る、固有のイベントを含む、ネットワークノードの動作を示している。
【図９】本開示の１つの実施形態に係る、ネットワークノードのブロック図である。
【図１０】本開示の１つの実施形態に係る、無線デバイスのブロック図である。
【図１１】本開示の１つの実施形態に係る、無線デバイスをｓＣｅｌｌと共に構成するための無線アクセスノードのブロック図である。
【発明を実施するための形態】
【００２５】
以下に説明する実施形態は、当業者が当該実施形態を実践することを可能とし、当該実施形態を実践するための最良のモードを例示するための必要な情報を表現する。添付図面の図を踏まえて以下の説明を読めば、当業者は、本開示の概念を理解し、ここで特に対象とされていないそれら概念の応用を認識するであろう。それら概念及び応用は、本開示及び添付の特許請求の範囲のスコープ内に入るものと理解されるべきである。
【００２６】
セルラー通信ネットワークにおいてキャリアアグリゲーション方式に従って動作する無線デバイスのためのセカンダリセル（ｓＣｅｌｌ）選択のためのシステム及び方法が開示される。１つの実施形態において、ネットワークノードは、無線デバイスについての潜在的なｓＣｅｌｌのリストを取得する。上記ネットワークノードは、潜在的なｓＣｅｌｌの上記リストから、上記無線デバイスのためのｓＣｅｌｌを盲目的に選択する。そして、上記ネットワークノードは、選択されたｓＣｅｌｌと共に上記無線デバイスを構成する。いくつかの実施形態によれば、無線デバイスのためにｓＣｅｌｌを盲目的に選択することにより、測定ギャップの使用を回避し、及びスループットのロスを低減することができる。
【００２７】
この点において、図２は、セルラー通信ネットワーク１４を示しており、そこで本開示の１つの実施形態に従ってｓＣｅｌｌ選択が実行される。なお、ここで開示される実施形態の多くで、セルラー通信ネットワーク１４は３ＧＰＰ（3rd  Generation  Partnership  Project）  ＬＴＥ（Long  Term  Evolution）又はＬＴＥ−Ａｄｖａｎｃｅｄのセルラー通信ネットワークであり、そのためＬＴＥ又はＬＴＥ−Ａｄｖａｎｃｅｄの専門用語が使用されることがある。しかしながら、ここで開示される概念は、キャリアアグリゲーションを利用しｓＣｅｌｌ選択が望まれる任意の適した無線ネットワーク（例えば、セルラー通信ネットワーク）へ適用されることができる。
【００２８】
図示したように、セルラー通信ネットワーク１４は、ＬＴＥ用語では拡張ノードＢ（ｅＮＢ）１６と呼ばれる基地局１６と、複数のＲＲＨ（Remote  Radio  Head）１８−１ないし１８−３（概して、ここではまとめてＲＲＨ１８として、及び個別のＲＲＨ１８として言及される）とを含む。ＲＲＨ１８は、基地局１６のＲＲＨである。この例において、基地局１６は、サービングセルであるセルへ、より具体的にはｐＣｅｌｌ２０のカバレッジエリア内に位置する無線デバイス２２のためのプライマリセル（ｐＣｅｌｌ）２０へサービスする。ここで使用されるところによれば、あるセルのカバレッジエリア（例えば、ｐＣｅｌｌ２０のカバレッジエリア）とは、当該セルによりカバーされる地理的エリアである。ＲＲＨ１８−１ないし１８−３のセルは、ｓＣｅｌｌ２４−１ないし２４−３（概して、ここではまとめてｓＣｅｌｌ２４として、及び個別のｓＣｅｌｌ２４として言及される）であり、１つの実施形態によればスモールセルであってよい。以下で議論するように、１つ以上のｓＣｅｌｌ２４が無線デバイス２２のサービングｓＣｅｌｌ２４として選択され及び構成される。なお、この例ではマクロセル２０がｐＣｅｌｌである一方、他の例ではマクロセル２０はｓＣｅｌｌであってもよい。例えば、一例として無線デバイス２２を用いると、スモールセル２４−２が代替的に無線デバイス２２のためのｐＣｅｌｌであってもよく、マクロセル２０が代替的に無線デバイス２２のためのｓＣｅｌｌであってもよい。
【００２９】
図３は、本開示の１つの実施形態に従って、無線デバイス２２のためのｓＣｅｌｌ２４の１つ以上を選択し、当該選択されたｓＣｅｌｌ２４と共に無線デバイス２２を構成するためのネットワークノードの動作を示している。ネットワークノードは、任意の適したネットワークノード（例えば、基地局１６、任意の適した無線アクセスネットワークノード、又は任意の適したコアネットワークノード（例えば、モビリティ管理エンティティ））であってよい。まず、ネットワークノードは、無線デバイス２２についての潜在的なｓＣｅｌｌ２４のリストを取得する（ステップ１００）。潜在的なｓＣｅｌｌ２４の当該リストは、いくつかの手法で取得されることができる。１つの実施形態において、ネットワークノードは、ｓＣｅｌｌ２４として構成するために利用可能なセル（例えば、隣接セル）のリスト、及び無線デバイス２２のケイパビリティを取得する。そして、ネットワークノードは、ｓＣｅｌｌ２４として構成するために利用可能なセルと、無線デバイス２２のケイパビリティとの共通部分に基づいて、潜在的なｓＣｅｌｌ２４のリストを取得する（即ち、潜在的なｓＣｅｌｌ２４のリストは、ｓＣｅｌｌ２４として構成するために利用可能であって且つ無線デバイス２２のケイパビリティ（例えば、無線デバイス２２の１つ以上の動作周波数帯又は動作周波数）にマッチする１つ以上のパラメータ（例えば、動作周波数帯又は動作周波数）を有するセルのリストである）。ネットワークノードは、多くのセルを有し得るが、必ずしもそれらセルの全てがｓＣｅｌｌ２４としての使用のために利用可能でなくてもよい。さらに、無線デバイス２２がサポートする周波数はより多く増加しつつあるが、依然として所与の無線デバイス２２によりサポートされない周波数が存在することも多い。
【００３０】
潜在的なｓＣｅｌｌ２４のリストを取得した後、ネットワークノードは、オプションとして、潜在的なｓＣｅｌｌ２４のリストを重み付けする（ステップ１０２）。この重み付けは、１つ以上のｓＣｅｌｌ２４の選択の可能性を上げ、及び／又は１つ以上のｓＣｅｌｌ２４の選択の可能性を下げるように働く。これは、個別の実装に依存して多様な手法で達成されることができる。１つの実施形態において、潜在的なｓＣｅｌｌ２４のリストを重み付けすることは、潜在的なｓＣｅｌｌ２４のリストへ１つ以上の冗長的なエントリを追加すること、を含む。他の実施形態において、ｓＣｅｌｌ２４を盲目的に選択する前に潜在的なｓＣｅｌｌ２４のリストを重み付けすることは、潜在的なｓＣｅｌｌ２４のリスト内の１つ以上のエントリについての選択確率を調整すること、を含む。
【００３１】
次に、ネットワークノードは、潜在的なｓＣｅｌｌ２４のリストから、無線デバイス２２のためのｓＣｅｌｌ２４を盲目的に選択する（ステップ１０４）。ここで使用されるところによれば、“盲目的に選択する”とは、無線デバイス２２のためのｓＣｅｌｌ２４としてサービスするために適したｓＣｅｌｌのいかなる標識も有する必要なく、例えば周波数間レイヤ３（Ｌ３）測定結果などの何らかの信号品質測定結果をまず取得することなく、ｓＣｅｌｌ２４が選択されることを意味する。潜在的なｓＣｅｌｌ２４を選択する前に無線デバイス２２が潜在的なｓＣｅｌｌ２４のＬ３測定を行うことを要しないことにより、無線デバイス２２における測定ギャップの必要性を回避することができる。測定ギャップが生じると、無線デバイス２２は、潜在的なｓＣｅｌｌ２４のＬ３測定を行う目的で、その時点の１つ以上の接続（例えば、ｐＣｅｌｌ２０への接続）を一時的に停止する。ｓＣｅｌｌ２４の選択のための周波数間測定を実行するための測定ギャップの使用は、構成されるギャップパターンに依存して、構成されるセルについて７〜１５％のスループットロスを招くことになる。いくつかの実施形態によれば、ｓＣｅｌｌ２４を盲目的に選択することにより、このスループットロスを回避することができ、Ｌ３測定などの測定のために必要な電力消費の増加を回避することもできる。
【００３２】
１つの実施形態において、ｓＣｅｌｌ２４を盲目的に選択することは、潜在的なｓＣｅｌｌ２４のリストから、ランダム選択方式に基づいて、ｓＣｅｌｌ２４を選択すること、を含む。他の実施形態において、ｓＣｅｌｌ２４を盲目的に選択することは、潜在的なｓＣｅｌｌ２４のリストから、ラウンドロビン方式に基づいて、ｓＣｅｌｌ２４を選択すること、を含む。ここで使用されるところによれば、ラウンドロビン方式は、シーケンシャルな順序でｓＣｅｌｌ２４を選択することに関与する。いくつかの実施形態において、潜在的なｓＣｅｌｌ２４のリストは、動作周波数でソートされる。さらに、１つの実施形態において、ラウンドロビン方式は、潜在的なｓＣｅｌｌ２４のリスト内の、ラウンドロビン方式の前回の反復が停止した位置とは異なる位置で、潜在的なｓＣｅｌｌ２４のリストにおいてラウンドロビン方式を開始すること、を含む。１つの実施形態において、ラウンドロビン方式は、潜在的なｓＣｅｌｌ２４のリスト内の、ラウンドロビン方式の前回の反復が停止した位置の直後の位置で開始される。潜在的なｓＣｅｌｌ２４のリスト内のランダムな位置でラウンドロビン方式を開始することも可能である。これら手法において、無線デバイス２２のために選択されるｓＣｅｌｌ２４は、他の無線デバイス２２のために選択されるｓＣｅｌｌ２４とは異なるかもしれず、ネットワークノードは、最近に選択されたｓＣｅｌｌ２４を再試行することを回避し得る。
【００３３】
加えて、いくつかの実施形態において、負荷のアンバランスの問題を回避するために、潜在的なｓＣｅｌｌ２４のリスト内のランダムな位置でのラウンドロビン方式の開始が実装されてもよい。負荷のアンバランスは、無線デバイス２２について偏って相対的に少ないｓＣｅｌｌ２４が選択され、一方で他の潜在的なｓＣｅｌｌ２４が選択されない場合に生じる。最も単純なシナリオにおいて、各無線デバイス２２は、潜在的なｓＣｅｌｌ２４の同じリストを提供され、各々のラウンドロビン方式は、潜在的なｓＣｅｌｌ２４の当該リストにおいてリスト内の同じ位置で開始される。このシナリオでは、リスト内の最初のｓＣｅｌｌ２４が適切となるはずのあらゆる無線デバイス２２が当該ｓＣｅｌｌ２４を構成するであろう。結果的に、リスト内の最後のｓＣｅｌｌ２４が無線デバイス２２についてのｓＣｅｌｌ２４として構成される可能性はかなり低くなるであろう。よって、互いに異なるｓＣｅｌｌ２４の負荷はアンバランスになる。いくつかのケースでは、過剰利用されるｓＣｅｌｌ２４を使用するように構成される無線デバイス２２についてのサービス品質の低下がもたらされ、一方であまり使用されないｓＣｅｌｌ２４についての利用可能なリソースは利用されないであろう。
【００３４】
無線デバイス２２のためのｓＣｅｌｌ２４を盲目的に選択した後、ネットワークノードは、無線デバイス２２を、選択されたｓＣｅｌｌ２４と共に構成する（ステップ１０６）。ＬＴＥでは、この構成は、無線デバイス２２へ適切な無線リソース制御（ＲＲＣ）メッセージを送信することにより達成される。無線デバイス２２を選択されたｓＣｅｌｌ２４と共に構成した後、ネットワークノードは、新たなｓＣｅｌｌ２４を選択する必要があるかを判定する（ステップ１０８）。より具体的には、ステップ１０４に関連して既に議論したように、構成されるｓＣｅｌｌ２４は、盲目的に選択されたことから、無線デバイス２２にとって受け入れ可能なｓＣｅｌｌ２４ではないかもしれない。ここで使用されるところによれば、ｓＣｅｌｌ２４は、無線デバイス２２が当該ｓＣｅｌｌ２４への接続を失敗するか、又は無線デバイスが当該ｓＣｅｌｌ２４からの信号品質が不十分であることを示すか、のいずれかの場合に、無線デバイス２２にとって受け入れ可能ではない。１つの実施形態によれば、ネットワークノードが新たなｓＣｅｌｌ２４を選択すべきであると判定した場合（ステップ１０８）、ネットワークノードは、ステップ１０４へ戻り、潜在的なｓＣｅｌｌ２４のリストから無線デバイス２２のためのｓＣｅｌｌ２４を盲目的に選択する。そうでない場合、ネットワークノードは、ｓＣｅｌｌ２４選択プロセスを終了する。
【００３５】
図４は、本開示の１つの実施形態に従って、無線デバイス２２のためのｓＣｅｌｌ２４の１つ以上を選択し、選択したｓＣｅｌｌ２４と共に無線デバイス２２を構成するための、ネットワークノードの動作を示している。この実施形態は図３のそれと類似しているが、この実施形態では、無線デバイス２２を選択されたｓＣｅｌｌ２４と共に構成した後に、ネットワークノードは、無線デバイス２２から、選択されたｓＣｅｌｌ２４よりも選択されたｓＣｅｌｌ２４の隣接ｓＣｅｌｌ２４の方が良好であるという標識を受信する。上で議論したように、ネットワークノードは、無線デバイス２２についての潜在的なｓＣｅｌｌ２４のリストを取得し（ステップ２００）、オプションとして潜在的なｓＣｅｌｌ２４のリストを重み付けし（ステップ２０２）、潜在的なｓＣｅｌｌ２４の当該リストから無線デバイス２２のためのｓＣｅｌｌ２４を盲目的に選択し（ステップ２０４）、選択したｓＣｅｌｌ２４と共に無線デバイス２２を構成する（ステップ２０６）。
【００３６】
選択されたｓＣｅｌｌ２４と共に無線デバイス２２を構成した後に、ネットワークノードは、無線デバイス２２から、選択されたｓＣｅｌｌ２４よりも選択されたｓＣｅｌｌ２４の隣接セルの方が良好であるという標識を受信する（ステップ２０８）。１つの実施形態において、当該標識は、Ａ４イベントの標識である。ＬＴＥの仕様では、Ａ４イベントは、この例では、ここでＡ４閾値として言及される閾値よりも選択されたｓＣｅｌｌ２４の隣接セルが良好になった場合に発生する。他の実施形態において、上記標識は、Ａ６イベントの標識である。ＬＴＥの仕様では、Ａ６イベントは、この例では、同じ周波数において、選択されたｓＣｅｌｌ２４の隣接セルが選択されたｓＣｅｌｌ２４よりもあるオフセットだけ良好になった場合に発生する。このイベントは、キャリアアグリゲーションを促進するために特にＬＴＥ  Ｒｅｌ−１０において追加された。
【００３７】
個別の実装に依存して、無線デバイス２２からの標識に応じて、ネットワークノードは、オプションとして、選択されたｓＣｅｌｌ２４を、無線デバイス２２のｓＣｅｌｌ２４としての構成から除外する（ステップ２１０）。ＬＴＥでは、この構成除外は、無線デバイス２２へ適切なＲＲＣメッセージを送信することにより達成される。この実施形態において、選択されたｓＣｅｌｌ２４よりも隣接セルの方が良好であるという標識の受信に応じて、ネットワークノードは、無線デバイス２２のためのｓＣｅｌｌ２４としての当該隣接セルと共に、無線デバイス２２を構成する（ステップ２１２）。この新たに構成されるｓＣｅｌｌ２４は、少なくとも、前に構成されたｓＣｅｌｌ２４と同等か又はそれ以上に良好なはずである。なお、無線デバイス２２のｓＣｅｌｌ２４として隣接セルを構成する前に、ネットワークノードは、隣接セルが１つ以上の予め定義される基準を満たすかを判定してもよい。例えば、ネットワークノードは、まず、隣接セルがｓＣｅｌｌ２４としての構成のために利用可能であること、及び隣接セルの１つ以上のパラメータが無線デバイス２２のケイパビリティとマッチすることを確認し得る。これは、例えば、無線デバイス２２についての潜在的なｓＣｅｌｌ２４のリスト内に当該隣接セルがあるかを判定することにより行われ得る。
【００３８】
図５は、本開示の他の実施形態に従って、無線デバイス２２のためのｓＣｅｌｌ２４の１つ以上を選択し、選択したｓＣｅｌｌ２４と共に無線デバイス２２を構成するための、ネットワークノードの動作を示している。この実施形態は図３及び図４のそれらと類似しているが、この実施形態では、無線デバイス２２を選択されたｓＣｅｌｌ２４と共に構成した後に、ネットワークノードは、選択されたｓＣｅｌｌ２４が無線デバイス２２にとって受け入れ可能なｓＣｅｌｌ２４ではないという標識を受信する。上で議論したように、ネットワークノードは、無線デバイス２２についての潜在的なｓＣｅｌｌ２４のリストを取得し（ステップ３００）、オプションとして潜在的なｓＣｅｌｌ２４のリストを重み付けし（ステップ３０２）、潜在的なｓＣｅｌｌ２４の当該リストから無線デバイス２２のためのｓＣｅｌｌ２４を盲目的に選択し（ステップ３０４）、選択したｓＣｅｌｌ２４と共に無線デバイス２２を構成する（ステップ３０６）。
【００３９】
構成されるｓＣｅｌｌ２４は、盲目的に選択されたことから、無線デバイス２２にとって受け入れ可能なｓＣｅｌｌ２４ではないかもしれない。ネットワークノードは、例えば、選択されたｓＣｅｌｌ２４が無線デバイス２２にとって受け入れ可能ではないという標識を無線デバイス２２から受信すると、ステップ３０４へ戻り、潜在的なｓＣｅｌｌ２４のリストから無線デバイス２２のための新たなｓＣｅｌｌ２４を盲目的に選択する。そうでない場合、ネットワークノードは、ｓＣｅｌｌ２４選択プロセスを終了する。１つの実施形態において、選択されたｓＣｅｌｌ２４が無線デバイス２２にとって受け入れ可能なｓＣｅｌｌ２４ではないという無線デバイス２２からの標識は、Ａ２イベントの標識である。ＬＴＥの仕様において、Ａ２イベントは、この例において選択され構成されたｓＣｅｌｌ２４であるサービングセルが、ここでＡ２閾値として言及される閾値よりも劣悪になった場合に発生する。他の実施形態において、選択されたｓＣｅｌｌ２４が無線デバイス２２にとって受け入れ可能なｓＣｅｌｌ２４ではないという無線デバイス２２からの標識は、無線デバイス２２が選択されたｓＣｅｌｌ２４への接続を失敗したという標識である。
【００４０】
図６は、本開示の他の実施形態に従って、無線デバイス２２のためのｓＣｅｌｌ２４の１つ以上を選択し、選択したｓＣｅｌｌ２４と共に無線デバイス２２を構成するための、ネットワークノードの動作を示している。上で議論したように、ネットワークノードは、無線デバイス２２についての潜在的なｓＣｅｌｌ２４のリストを取得し（ステップ４００）、オプションとして潜在的なｓＣｅｌｌ２４のリストを重み付けし（ステップ４０２）、潜在的なｓＣｅｌｌ２４の当該リストから無線デバイス２２のためのｓＣｅｌｌ２４を盲目的に選択し（ステップ４０４）、選択したｓＣｅｌｌ２４と共に無線デバイス２２を構成する（ステップ４０６）。
【００４１】
選択されたｓＣｅｌｌ２４と共に無線デバイス２２を構成した後に、ネットワークノードは、無線デバイス２２から、選択されたｓＣｅｌｌ２４が無線デバイス２２にとって受け入れ可能なｓＣｅｌｌ２４ではないという標識を受信する（ステップ４０８）。１つの実施形態において、選択されたｓＣｅｌｌ２４が無線デバイス２２にとって受け入れ可能なｓＣｅｌｌ２４ではないという無線デバイス２２からの標識は、Ａ２イベントの標識である。他の実施形態において、選択されたｓＣｅｌｌ２４が無線デバイス２２にとって受け入れ可能なｓＣｅｌｌ２４ではないという無線デバイス２２からの標識は、無線デバイス２２が選択されたｓＣｅｌｌ２４への接続を失敗したという標識である。無線デバイス２２を構成すべき新たなｓＣｅｌｌ２４を即座に選択する代わりに、ネットワークノードは、選択されたｓＣｅｌｌ２４よりも選択されたｓＣｅｌｌ２４の隣接セルの方が良好であるという無線デバイス２２からの標識をモニタリングする（ステップ４１０）。１つの実施形態において、選択されたｓＣｅｌｌ２４よりも選択されたｓＣｅｌｌ２４の隣接セルの方が良好であるという標識は、Ａ４イベント又はＡ６イベントの標識である。Ａ４イベントの標識又はＡ６イベントの標識のいずれかの受信は、受け入れ可能なｓＣｅｌｌ２４の存在をネットワークノードへ注意喚起（alert）し、一方でその時点で選択され構成されているｓＣｅｌｌ２４は受け入れ可能ではないことを注意喚起する。
【００４２】
ネットワークノードは、選択されたｓＣｅｌｌ２４よりも選択されたｓＣｅｌｌ２４の隣接セルの方が良好であるという標識を無線デバイス２２から受信すると（ステップ４１２）、選択されたｓＣｅｌｌ２４よりも良好な当該隣接セルと共に、無線デバイス２２を構成する（ステップ４１４）。なお、いくつかの実施形態においてネットワークノードは、まず、当該隣接セルが無線デバイス２２のｓＣｅｌｌ２４としてサービスするための１つ以上の予め定義される基準を満たすことを判定してもよい。さもなくば、ネットワークノードは、選択されたｓＣｅｌｌ２４よりも選択されたｓＣｅｌｌ２４の隣接セルの方が良好であるという標識が例えば定義済みの時間量の間に無線デバイス２２から受信されない場合に、その時点で選択され構成されているｓＣｅｌｌ２４の動作周波数と同じ周波数で動作する適切なｓＣｅｌｌ２４が存在しないと推定することができる。この推定が事実ではなかったとすれば、ネットワークノードは、その時点で選択され構成されているｓＣｅｌｌ２４から、選択されたｓＣｅｌｌ２４よりも隣接セルの方が良好であるとの標識を受信したはずである。そこで、ネットワークノードは、選択されたｓＣｅｌｌ２４の動作周波数と同じ周波数で動作する潜在的なｓＣｅｌｌ２４を除外する（ステップ４１６）。
【００４３】
次に、ネットワークノードは、無線デバイス２２のための新たなｓＣｅｌｌ２４を、ステップ４１６において除外された潜在的なｓＣｅｌｌ２４を除く潜在的なｓＣｅｌｌ２４のリストから、盲目的に選択する（ステップ４１８）。上で議論したように、ネットワークノードは、前に構成したｓＣｅｌｌ２４の動作周波数と同じ動作周波数を有する受け入れ可能なｓＣｅｌｌ２４が存在しないと推定したことから、この新たな選択では、それらｓＣｅｌｌ２４が除外される。いくつのｓＣｅｌｌ２４が当該動作周波数を共有するかに依存して、上記除外は、受け入れ可能でない可能性の高いｓＣｅｌｌ２４を構成しないことで、受け入れ可能なｓＣｅｌｌ２４を発見するために必要とされる時間量を減少させることができる。ステップ４１８において無線デバイス２２のために新たなｓＣｅｌｌ２４盲目的に選択した後、ネットワークノードは、新たに選択されたｓＣｅｌｌ２４と共に無線デバイス２２を構成する（ステップ４２０）。これ以降、いくつかの実施形態において、上記プロセスが、受け入れ可能なｓＣｅｌｌ２４が選択され及び構成されるまで継続され得る。
【００４４】
図７は、本開示の他の実施形態に従って、無線デバイス２２のためのｓＣｅｌｌ２４の１つ以上を選択し、選択したｓＣｅｌｌ２４と共に無線デバイス２２を構成するための、ネットワークノードの動作を示している。この実施形態は図６のそれと類似しているが、図７の実施形態では、ラウンドロビン方式の１つの実施形態が利用される。
【００４５】
まず、ネットワークノードは、上で議論したように、潜在的なｓＣｅｌｌ２４のリストを取得する（ステップ５００）。ネットワークノードは、潜在的なｓＣｅｌｌ２４の動作周波数で潜在的なｓＣｅｌｌ２４のリストをソートし、その結果複数の周波数グループを提供する（ステップ５０２）。各周波数グループは、同じ動作周波数及び／又は動作周波数帯を有する１つ以上のｓＣｅｌｌ２４を含む。各周波数グループ内のｓＣｅｌｌ２４は、いかなる適切なやり方で配置されることもできる。例えば、ネットワークノードがｓＣｅｌｌ２４についての好適な選択順序についてのさらなる情報を有する場合、当該情報を用いて、各周波数グループの範囲内でｓＣｅｌｌ２４を順序付けることができる。
【００４６】
潜在的なｓＣｅｌｌ２４のリストをソートした後に、ネットワークノードは、オプションとして、潜在的なｓＣｅｌｌ２４のリストを重み付けする（ステップ５０４）。この重み付けは、１つ以上のｓＣｅｌｌ２４の選択の可能性を上げ、及び／又は１つ以上のｓＣｅｌｌ２４の選択の可能性を下げるように働く。１つの実施形態において、この重み付けは、周波数グループの順序を変更し又は各周波数グループの範囲内でｓＣｅｌｌ２４の順序を変更することを含んでよい。また、重み付けは、潜在的なｓＣｅｌｌ２４のリストへと１つ以上の冗長的なエントリを追加することを含んでもよく、又は方法の実装に依存して他の任意の適切な方法を含んでもよい。
【００４７】
次に、ネットワークノードは、ラウンドロビン選択方式に従って、潜在的なｓＣｅｌｌ２４のリストから、無線デバイス２２のためのｓＣｅｌｌ２４を盲目的に選択する（ステップ５０６）。１つの実施形態において、ラウンドロビン選択方式は、潜在的なｓＣｅｌｌ２４のリスト内の、無線デバイス２２のための前回のｓＣｅｌｌ２４の選択のためのラウンドロビン選択方式の前回の反復が停止した位置とは異なる位置で、当該リストにおいて開始される。１つの実施形態において、ラウンドロビン方式は、潜在的なｓＣｅｌｌ２４のリスト内の、無線デバイス２２のための前回のｓＣｅｌｌ２４の選択のためのラウンドロビン方式の前回の反復が停止した位置の直後の位置で開始される。１つの実施形態において、リスト内で選択すべき次の位置が、潜在的なｓＣｅｌｌ２４のリストのインデックスとして保持される。この実施形態では、当該インデックスを、各盲目的な選択の後に、潜在的なｓＣｅｌｌ２４のリスト内の次のｓＣｅｌｌ２４を指すように変更することができる。リスト内の異なる位置で選択を開始することで、無線デバイス２２についてｓＣｅｌｌ２４として最近に選択されたかもしれないｓＣｅｌｌ２４を選択することが回避される。
【００４８】
いくつかの実施形態において、オプションとしてのリストの重み付け、及び次のｓＣｅｌｌ２４を盲目的に選択する方法を、負荷のアンバランスの問題を回避するために実装してもよい。負荷のアンバランスは、上でより詳細に議論済みであり、無線デバイス２２について偏って相対的に少ないｓＣｅｌｌ２４が構成されるために選択され、一方で他の潜在的なｓＣｅｌｌ２４が選択されない場合に生じる。潜在的なｓＣｅｌｌ２４のリストを重み付けして、その時点で他の潜在的なｓＣｅｌｌ２４よりもあまり使用されていない潜在的なｓＣｅｌｌ２４が選択される確率を増加させることにより、負荷のアンバランスの問題を回避することができる。逆もまた利用されてよく、その場合、その時点で他の潜在的なｓＣｅｌｌ２４よりも多く使用されている潜在的なｓＣｅｌｌ２４が選択される確率を減少させるような重み付けが行われ得る。これらは、潜在的なｓＣｅｌｌ２４のリストを重み付けし得る手法のいくつかに過ぎない。
【００４９】
追加的に、次のｓＣｅｌｌ２４を盲目的に選択するための選択方法は、負荷アンバランスの問題を回避するように実装されてもよい。１つの実施形態において、１つよりも多くの無線デバイス２２について同じ又は同様の潜在的なｓＣｅｌｌ２４のリストが取得される場合に、次のｓＣｅｌｌ２４を盲目的に選択するための選択方法は、リストからランダムにｓＣｅｌｌ２４を選択してもよい。この手法において、ｓＣｅｌｌ２４は、よりバランスのとれた手法で無線デバイス２２により構成されるであろう。ラウンドロビン選択方式が実装される実施形態において、この場合盲目的に選択されるべき次のｓＣｅｌｌ２４は潜在的なｓＣｅｌｌ２４のリスト内の次のｓＣｅｌｌ２４であり、潜在的なｓＣｅｌｌ２４のリスト内の開始点は、互いに異なる無線デバイス２２について相違し得る。この手法で、ｓＣｅｌｌ２４は、よりバランスのとれた手法で無線デバイス２２により構成されることになる。他の実施形態において、１つの無線デバイス２２のために取得される潜在的なｓＣｅｌｌ２４のリストは、他の無線デバイス２２により取得される潜在的なｓＣｅｌｌ２４の他のリスト内の潜在的なｓＣｅｌｌ２４の順序とは異なる順序で複数のｓＣｅｌｌ２４を含む。この手法で、ｓＣｅｌｌ２４は、よりバランスのとれた手法で無線デバイス２２により構成されることになる。
【００５０】
無線デバイス２２のためのｓＣｅｌｌ２４を盲目的に選択した後、ネットワークノードは、選択されたｓＣｅｌｌ２４と共に無線デバイス２２を構成する（ステップ５０８）。本実施形態において、選択されたｓＣｅｌｌ２４と共に無線デバイス２２を構成した後、ネットワークノードは、選択されたｓＣｅｌｌ２４が無線デバイス２２にとって受け入れ可能なｓＣｅｌｌ２４ではないという標識を受信する（ステップ５１０）。１つの実施形態において、無線デバイス２２からの、選択されたｓＣｅｌｌ２４が無線デバイス２２にとって受け入れ可能なｓＣｅｌｌ２４ではないという当該標識は、Ａ２イベントの標識である。他の実施形態において、無線デバイス２２からの、選択されたｓＣｅｌｌ２４が無線デバイス２２にとって受け入れ可能なｓＣｅｌｌ２４ではないという当該標識は、無線デバイス２２がｓＣｅｌｌ２４への接続を失敗したという標識である。
【００５１】
無線デバイス２２を構成すべき対象の新たなｓＣｅｌｌ２４を即座に選択する代わりに、ネットワークノードは、選択されたｓＣｅｌｌ２４よりも選択されたｓＣｅｌｌ２４の隣接セルの方が良好であるという無線デバイス２２からの標識をモニタリングする（ステップ５１２）。１つの実施形態において、当該標識は、Ａ４イベントの標識又はＡ６イベントの標識である。Ａ４イベントの標識又はＡ６イベントの標識のいずれかの受信は、その時点で構成されているｓＣｅｌｌ２４よりも受け入れ可能なｓＣｅｌｌ２４の存在をネットワークノードへ注意喚起する。
【００５２】
選択されたｓＣｅｌｌ２４よりも選択されたｓＣｅｌｌ２４の隣接セルの方が良好であるという標識を無線デバイス２２から受信すると（ステップ５１４）、ネットワークノードは、選択されたｓＣｅｌｌ２４よりも良好な当該隣接セルと共に、無線デバイス２２を構成する（ステップ５１６）。そうではなく、選択されたｓＣｅｌｌ２４よりも選択されたｓＣｅｌｌ２４の隣接セルの方が良好であるという標識が無線デバイス２２から受信されない場合（ステップ５１４）、ネットワークノードは、選択されたｓＣｅｌｌ２４の動作周波数と同じ周波数で動作する適切なｓＣｅｌｌ２４が存在しないと推定することができる。この推定が事実ではなかったとすれば、ネットワークノードは、選択されたｓＣｅｌｌ２４よりも隣接セルの方が良好であるとの標識を受信したはずである。
【００５３】
ネットワークノードは、このとき、選択されたｓＣｅｌｌ２４と同じ動作周波数で動作する潜在的なｓＣｅｌｌ２４を除外することができる。潜在的なｓＣｅｌｌ２４のリストは既に、周波数グループを提供するように、潜在的なｓＣｅｌｌ２４の動作周波数でソートされていることから、ｓＣｅｌｌ２４の除外は、異なる周波数グループから新たなｓＣｅｌｌ２４を選択することにより達成されることができる。この点に関し、ネットワークノードは、次の周波数グループから無線デバイス２２のための新たなｓＣｅｌｌ２４を盲目的に選択する（ステップ５１８）。選択すべき次のｓＣｅｌｌ２４が潜在的なｓＣｅｌｌ２４のリストのインデックスによって保持される実施形態では、当該インデックスを、潜在的なｓＣｅｌｌ２４のソート済みリスト内の次の周波数グループ内の最初のｓＣｅｌｌ２４へと進めることができる。
【００５４】
上で議論したように、ネットワークノードは、前に構成したｓＣｅｌｌ２４の動作周波数と同じ動作周波数を有する受け入れ可能なｓＣｅｌｌ２４が存在しないと推定したことから、この新たな選択結果は、前に構成したｓＣｅｌｌ２４の動作周波数とは異なる動作周波数を有するｓＣｅｌｌ２４である。異なる周波数グループから無線デバイス２２のためのｓＣｅｌｌ２４を盲目的に選択した後に、ネットワークノードは、新たに選択したｓＣｅｌｌ２４と共に無線デバイス２２を構成する（ステップ５２０）。いくつかの実施形態において、無線デバイス２２にとって受け入れ可能なｓＣｅｌｌ２４が選択され構成されるまで、このようにして処理が継続される。
【００５５】
図８は、本開示の他の実施形態に従って、無線デバイス２２のためのｓＣｅｌｌ２４の１つ以上を選択し、選択したｓＣｅｌｌ２４と共に無線デバイス２２を構成するための、ネットワークノードの動作を示している。この実施形態において、上で議論した実施形態の多くをカバーする特定の実装が説明される。明確さ及び簡潔さのために図８は、Ａ１、Ａ２、Ａ４及びＡ６測定イベントといった具体的な測定イベントへの言及を含む。これは、現行の開示の１つの実施形態の単なる例示的な実装である。他の実施形態において、他の測定イベント又は通知が使用されてもよい。
【００５６】
まず、ネットワークノードは、潜在的なｓＣｅｌｌ２４のリストを取得する（ステップ６００）。潜在的なｓＣｅｌｌ２４のリストを取得した後、ネットワークノードは、オプションとして、潜在的なｓＣｅｌｌ２４のリストを重み付けする（ステップ６０２）。次に、ネットワークノードは、潜在的なｓＣｅｌｌ２４のリスト内の全ての候補ｓＣｅｌｌ２４が考慮対象から除外されたかをチェックする（ステップ６０４）。潜在的なｓＣｅｌｌ２４のリスト内の全ての候補ｓＣｅｌｌ２４が考慮対象から除外された場合、無線デバイス２２は、その時点で無線デバイス２２にとって受け入れ可能なｓＣｅｌｌ２４のカバレッジの無い場所にいる。ｓＣｅｌｌ２４が受け入れ可能ではない場合に同じ潜在的なｓＣｅｌｌ２４を構成することを回避する目的で、ネットワークノードは、タイマＴ１が満了するまで待機する（ステップ６０６）。タイマＴ１は、個別の実装に依存して変化し得る予め定義される時間量に設定される。１つの実施形態において、タイマＴ１の値は、ｓＣｅｌｌ２４の選択及び構成の試行の期間中の電力使用と、無線デバイス２２について受け入れ可能なｓＣｅｌｌ２４を構成する望ましさの程度（desirability）との間のトレードオフとして決定される。１つの実施形態において、タイマＴ１の値は、無線デバイス２２のモビリティに基づいて決定される。例えば、タイマＴ１の値は、無線デバイス２２のモビリティに逆方向に関連し得る。なぜなら、無線デバイス２２のモビリティがより高いほど、無線デバイス２２が受け入れ可能なｓＣｅｌｌ２４を有する場所へ動く可能性がより高いからである。タイマＴ１の満了まで待機した後、ネットワークノードは、（ステップ６０２に従って潜在的に重み付けされていてよい）潜在的なｓＣｅｌｌ２４のリスト内の望ましい場所で、ｓＣｅｌｌ選択プロセスを再開する（ステップ６０８）。ネットワークノードは、潜在的なｓＣｅｌｌ２４のリスト内のいかなる望ましい位置からｓＣｅｌｌ選択プロセスを再開してもよい。例えば、ネットワークノードは、ｓＣｅｌｌ２４の全てを考慮対象から除外する前に、ｓＣｅｌｌ選択プロセスが以前に開始した潜在的なｓＣｅｌｌ２４のリスト内の位置で、ｓＣｅｌｌ選択プロセスを再開してもよい。
【００５７】
この時点で、ステップ６０４から（潜在的なｓＣｅｌｌ２４のリスト内の全ての候補ｓＣｅｌｌ２４が考慮対象から除外されたわけではない）又はステップ６０８から（リストをやり直し）から来たかに関わらず、ネットワークノードは、潜在的なｓＣｅｌｌ２４のリストから無線デバイス２２のためのｓＣｅｌｌ２４を盲目的に選択する（ステップ６１０）。上で議論したように、１つの実施形態では、盲目的な選択はラウンドロビン選択方式に従って行われ得る。一方、例えばランダム選択のような他の盲目的な選択方式が使用されてもよい。無線デバイス２２のためのｓＣｅｌｌ２４の盲目的な選択の後に、ネットワークノードは、選択したｓＣｅｌｌ２４と共に無線デバイス２２を構成する（ステップ６１２）。
【００５８】
選択されたｓＣｅｌｌ２４と共に無線デバイス２２を構成した後、ネットワークノードは、無線デバイス２２からＡ２イベントの標識が受信されたかを判定する（ステップ６１４）。ＬＴＥの仕様において、Ａ２イベントは、このケースにおいて選択され構成されたｓＣｅｌｌ２４であるサービングセルがＡ２閾値よりも劣悪になった場合に発生する。Ａ２イベントの標識の受信は、選択され構成されたｓＣｅｌｌ２４が無線デバイス２２にとって受け入れ可能なｓＣｅｌｌ２４ではないことを意味する。逆に、Ａ２イベントの標識が受信されない場合、これは２つの条件のうちの１つが存在することを意味し、それは即ち、（１）選択され構成されたｓＣｅｌｌ２４が無線デバイス２２にとって受け入れ可能なｓＣｅｌｌ２４である、又は（２）何らかの理由で、ネットワークノードが、選択され構成されたｓＣｅｌｌ２４についての無線デバイス２２からのいかなるイベント（Ａ１、Ａ２、Ａ４又はＡ６）の標識も受信しておらず及び受信しない、のうちの１つである。
【００５９】
ネットワークノードがＡ２イベントを受信しない場合、上記２つの条件のうちのいずれが存在するのかを判定する目的で、ネットワークノードは、選択したｓＣｅｌｌ２４に関して無線デバイス２２から何らかの品質標識が受信されたかをチェックする（ステップ６１６）。１つの実施形態において、品質標識は、Ａ１イベントの標識、Ａ４イベントの標識、又はＡ６イベントの標識である。ＬＴＥの仕様において、Ａ１イベントは、選択されたｓＣｅｌｌ２４がここではＡ１閾値として言及される閾値よりも良好になった場合に発生する。
【００６０】
ネットワークノードがＡ２イベントを受信せず、しかし選択されたｓＣｅｌｌ２４に関して無線デバイス２２から何らかの他の品質標識を受信した場合、選択されたｓＣｅｌｌ２４は、無線デバイス２２にとって受け入れ可能なｓＣｅｌｌ２４であると見なされる。このケースでは、ネットワークノードは、選択され構成されたｓＣｅｌｌ２４が後に受入れ可能でなくなり又はより良好な隣接セルが利用可能となるかを判定するために、無線デバイス２２をモニタリングするループに入る。より具体的には、この実施形態において、ネットワークノードは、選択され構成されたｓＣｅｌｌ２４について無線デバイス２２からＡ４又はＡ６イベントの標識が受信されたかを判定する（ステップ６１８）。Ａ４イベント又はＡ６イベントのいずれかの標識の受信は、その時点で選択され構成されているｓＣｅｌｌ２４よりも良好な、その時点で選択され構成されているｓＣｅｌｌ２４の隣接セルの存在を、ネットワークノードへ注意喚起する。
【００６１】
Ａ４イベント又はＡ６イベントの標識が受信されていない場合、ネットワークノードは、その時点で構成され選択されているｓＣｅｌｌ２４について無線デバイス２２からＡ２イベントの標識が受信されているかを判定する（ステップ６２０）。Ａ２イベントの標識が受信されていれば、当該プロセスはステップ６０４へ戻り、無線デバイス２２のための新たなｓＣｅｌｌ２４の選択のための繰り返しが行われる。とりわけ、この時点で、前に選択され構成されていたｓＣｅｌｌ２４は、構成から除外され得る。Ａ２イベントの標識が受信されない場合、プロセスはステップ６１８へ戻る。ステップ６１８において、ネットワークノードがＡ４イベント又はＡ６イベントのいずれかの標識を受信した場合、ネットワークノードは、選択されたｓＣｅｌｌ２４よりも良好な隣接セルと共に無線デバイス２２を構成する（ステップ６２２）。言い換えれば、隣接セルが無線デバイス２２のための新たなｓＣｅｌｌ２４として選択され及び構成される。いくつかの実施形態において、前に選択され構成されていたｓＣｅｌｌ２４は、構成から除外され得る。プロセスはステップ６２２からステップ６２０へ進み、無線デバイス２２の新たに選択され構成されたｓＣｅｌｌ２４についてステップ６２０が行われる。
【００６２】
さて、ステップ６１４及び６１６の議論へ戻ると、ネットワークノードは、選択され構成されたｓＣｅｌｌ２４について無線デバイス２２からＡ２イベントの標識を受信しない場合、又はステップ６１６において当該ｓＣｅｌｌ２４に関して無線デバイス２２から何らの品質標識も受信しない場合、タイマＴ２を開始する（ステップ６２４）。１つの実施形態において、タイマＴ２は、構成済みのｓＣｅｌｌ２４についてのより多くの情報を無線デバイス２２から受信することを可能とするためにある。既に説明したタイマＴ１でもそうであるように、タイマＴ２の持続時間は、実装に固有であり得る。タイマＴ２のための値がより大きいほど、無線デバイス２２が受け入れ不能なｓＣｅｌｌ２４と共に構成されている時間はより長くなる。対照的に、タイマＴ２のための時間がより小さいほど、ネットワークノードは、選択され構成されたｓＣｅｌｌ２４に関して無線デバイス２２が送信したかもしれない１つ以上の追加的な測定レポートを逸失するようになり得る。これら２つの要因の間のバランスは実装固有となり、ネットワークアーキテクチャ、無線デバイス２２のケイパビリティ又は他の何らかの要因に依存し得る。
【００６３】
タイマＴ２が稼動中であって満了前である間、ネットワークノードは、選択され構成されたｓＣｅｌｌ２４について無線デバイス２２からＡ４イベント又はＡ６イベントのいずれかの標識が受信されたかを判定する（ステップ６２６）。ネットワークノードは、Ａ４イベント又はＡ６イベントのいずれかの標識を受信した場合、選択されたｓＣｅｌｌ２４よりも良好な隣接セルと共に、無線デバイス２２を構成する（ステップ６２２）。そうでない場合、ネットワークノードは、その時点で選択され構成されているｓＣｅｌｌ２４について無線デバイス２２からＡ１イベントの標識が受信されたかを判定する（ステップ６２８）。Ａ１イベントの標識の受信は、当該ｓＣｅｌｌ２４が今は無線デバイス２２にとって受け入れ可能なｓＣｅｌｌ２４であることを示す。ネットワークノードは、Ａ１イベントの標識を受信した場合、その時点でｓＣｅｌｌは受け入れ可能であると見なし、プロセスはステップ６２０へと進む。
【００６４】
ステップ６２６及び６２８において測定レポートが受信されない場合、ネットワークノードは、タイマＴ２が満了したかを判定する（ステップ６３０）。タイマＴ２が満了していない場合、プロセスはステップ６２６へ戻り、ステップ６２６及び６２８が繰り返されて、Ａ４若しくはＡ６イベントのいずれかのモニタリング、又はＡ１イベントのモニタリングが継続される。タイマＴ２が一旦満了すると、ネットワークノードは、Ａ２イベントが受信されしかしＡ６イベントが受信されなかったかを判定する（ステップ６３２）。Ａ２イベントが受信されしかしＡ６イベントが受信されなかった場合、ネットワークノードは、その時点で選択され構成されているｓＣｅｌｌ２４と同じ動作周波数で動作する適切なｓＣｅｌｌ２４が存在しないと推定し得る。この推定が事実ではなかったとすれば、選択されたｓＣｅｌｌ２４よりも隣接セルの方が良好であるとの標識が受信されたはずである。よって、Ａ２イベントの標識が受信されしかしＡ６イベントの標識が受信されなかった場合、ネットワークノードは、選択されているｓＣｅｌｌ２４の動作周波数と同じ周波数で動作する潜在的なｓＣｅｌｌ２４を除外する（ステップ６３４）。ｓＣｅｌｌ２４の動作周波数で潜在的なｓＣｅｌｌ２４のリストがソートされているいくつかの実施形態において（例えば、ラウンドロビン選択方式の実施形態において）、選択されたｓＣｅｌｌ２４の動作周波数と同じ周波数で動作する潜在的なｓＣｅｌｌ２４を除外することは、異なる周波数で動作するｓＣｅｌｌ２４が存在するリスト内の位置へと選択プロセスを進行させること、を包含し得る。
【００６５】
ネットワークノードが潜在的なｓＣｅｌｌ２４のリスト内の次の周波数へとスキップするか否かに関わらず、プロセスはステップ６０４へ戻り、ネットワークノードは、潜在的なｓＣｅｌｌ２４のリスト内の全ての候補ｓＣｅｌｌ２４が考慮対象から除外されたかをチェックする。プロセスはこのようなやり方で継続する。
【００６６】
図９は、本開示の１つの実施形態に係る無線アクセスノード２６（例えば、基地局１６）のブロック図である。図示したように、無線アクセスノード２６は、処理サブシステム３０、メモリ３２、及びネットワークインタフェース３４を含むベースバンドユニット２８と、１つ以上のアンテナ４０へ接続される送受信機３８を含む無線ユニット３６と、を含む。送受信機３８は、概して、無線デバイス２２（図示せず）との間でデータを無線で送受信するための、アナログコンポーネント及びいくつかの実施形態ではデジタルコンポーネントを含む。無線通信プロトコルの視点からは、送受信機３８は、少なくともレイヤ１（即ち、物理あるいは“ＰＨＹ”レイヤ）の一部を実装する。
【００６７】
処理サブシステム３０は、概して、送受信機３８により実装されないレイヤ１の残りの部分に加えて、無線通信プロトコルにおけるより上位のレイヤ（例えば、レイヤ２（データリンクレイヤ）、レイヤ３（ネットワークレイヤ）など）のための機能を実装する。特定の実施形態において、処理サブシステム３０は、例えば、ここで説明した基地局１６の機能性のいくつか又は全てを遂行するための、１つ以上の汎用の若しくは特定目的のマイクロプロセッサ、又は適切なソフトウェア及び／若しくはファームウェアでプログラミングされた他のマイクロコントローラを含み得る。追加的に又は代替的に、処理サブシステム３０は、ここで説明した基地局１６の機能性のいくつか又は全てを遂行するように構成される、多様なデジタルハードウェアブロック（例えば、１つ以上のＡＳＩＣ（Application  Specific  Integrated  Circuits）、１つ以上の既製のデジタル及びアナログハードウェアコンポーネント、又はそれらの組合せ）を含み得る。追加的に、特定の実施形態において、無線アクセスノード２６の上述した機能性は、全体として又は部分的に、例えばメモリ３２又は他の任意の適したタイプのデータ記憶コンポーネントなどの非一時的なコンピュータ読取可能な媒体上に記憶されるソフトウェア又は他の命令を処理サブシステム３０が実行することにより実装されてもよい。
【００６８】
図１０は、本開示の１つの実施形態に係る無線デバイス２２のブロック図である。図示したように、無線デバイス２２は、１つ以上のアンテナ４６へ接続される送受信機４４を含む無線サブシステム４２と、処理サブシステム４８と、メモリ５０とを含む。送受信機４４は、概して、基地局１６及びＲＲＨ１８（図２に示されている）との間でデータを無線で送受信するための、アナログコンポーネント及びいくつかの実施形態ではデジタルコンポーネントを含む。無線通信プロトコルの視点からは、送受信機４４は、少なくともレイヤ１（即ち、物理あるいは“ＰＨＹ”レイヤ）の一部を実装する。
【００６９】
処理サブシステム４８は、概して、無線サブシステム４２により実装されないレイヤ１の残りの部分に加えて、無線通信プロトコルにおけるより上位のレイヤ（例えば、レイヤ２（データリンクレイヤ）、レイヤ３（ネットワークレイヤ）など）のための機能を実装する。特定の実施形態において、処理サブシステム４８は、例えば、ここで説明した無線デバイス２２の機能性のいくつか又は全てを遂行するための、１つ以上の汎用の若しくは特定目的のマイクロプロセッサ、又は適切なソフトウェア及び／若しくはファームウェアでプログラミングされた他のマイクロコントローラを含み得る。追加的に又は代替的に、処理サブシステム４８は、ここで説明した無線デバイス２２の機能性のいくつか又は全てを遂行するように構成される、多様なデジタルハードウェアブロック（例えば、１つ以上のＡＳＩＣ（Application  Specific  Integrated  Circuits）、１つ以上の既製のデジタル及びアナログハードウェアコンポーネント、又はそれらの組合せ）を含み得る。追加的に、特定の実施形態において、無線デバイス２２の上述した機能性は、全体として又は部分的に、例えばメモリ５０又は他の任意の適したタイプのデータ記憶コンポーネントなどの非一時的なコンピュータ読取可能な媒体上に記憶されるソフトウェア又は他の命令を処理サブシステム４８が実行することにより実装されてもよい。
【００７０】
図１１は、本開示の１つの実施形態に従ってｓＣｅｌｌ２４（図示せず）と共に無線デバイス２２（図示せず）を構成するための、無線アクセスノード２６のブロック図である。図示したように、無線アクセスノード２６は、リスト取得モジュール５２、盲目選択モジュール５４及び構成モジュール５６を含み、各モジュールは、無線アクセスノード２６のプロセッサにより実行された場合に無線アクセスノード２６をここで説明した実施形態のいずれか１つに従って動作させるソフトウェアとして実装される。リスト取得モジュール５２は、上述したステップ１００、２００、３００、４００、５００又は６００に関する無線アクセスノード２６の機能性を提供するように動作する。同様に、盲目選択モジュール５４は、上述したステップ１０４、２０４、３０４、４０４、４１８、５０６、５１８又は６１０に関する無線アクセスノード２６の機能性を提供するように動作する。構成モジュール５６は、上述したステップ１０６、２０６、２１０、２１２、３０６、４０６、４１４、４２０、５０８、５１６、５２０、６１２又は６２０に関する無線アクセスノード２６の機能性を提供するように動作する。
【００７１】
１つの実施形態において、少なくとも１つのプロセッサにより実行された場合に当該少なくとも１つのプロセッサにここで説明した実施形態のうちのいずれか１つに従って無線アクセスノード２６の機能性を遂行させる命令を含む。１つの実施形態において、上述したコンピュータプログラムプロダクトを収容する担体が提供される。担体は、電気信号、光信号、無線信号又はコンピュータ読取可能な記憶媒体（例えば、図８に示したメモリ３２などの非一時的なコンピュータ読取可能な媒体）のうちの１つである。
【００７２】
ここで説明した実施形態は多くの利点を提供する一方、いくつかの例示的な実装において、実施形態の少なくともいくつかは、無線デバイス２２を盲目的に選択されるｓＣｅｌｌ２４と共に構成することによって、スループットの欠損を引き起こし得る測定ギャップの必要性を排除するという利点を提供する。但し、これは利点の一例に過ぎず、ここで開示された実施形態のスコープを限定することを意図しない。
【００７３】
以下の略語が本開示を通じて使用されている。
・３ＧＰＰ    3rd  Generation  Partnership  Project
・ＡＳＩＣ    Application  Specific  Integrated  Circuit
・ＣＣ        Component  Carrier
・ｅＮＢ      evolved  Node  B
・Ｌ３        inter-frequency  Layer  3
・ＬＴＥ      Long  Term  Evolution
・ＬＴＥ  Ｒｅｌ−８    Long  Term  Evolution  Release  8
・ＬＴＥ  Ｒｅｌ−１０  Long  Term  Evolution  Release  10
・ＭＨｚ      Megahertz
・ＰＣＣ      Primary  Component  Carrier
・ｐＣｅｌｌ  Primary  Cell
・ＲＲＣ      Radio  Resource  Control
・ＲＲＨ      Remote  Radio  Head
・ＲＳＲＰ    Reference  Signal  Received  Power
・ＳＣＣ      Secondary  Component  Carrier
・ｓＣｅｌｌ  Secondary  Cell
【００７４】
当業者は、本開示の好適な実施形態への改善例及び修正例を認識するであろう。全てのそうした改善例及び修正例は、ここで開示されている概念及び後に続く特許請求の範囲のスコープ内にあるものと見なされる。
【図１】
2016536821.tif 000003
【図２】
2016536821.tif 000004
【図３】
2016536821.tif 000005
【図４】
2016536821.tif 000006
【図５】
2016536821.tif 000007
【図６】
2016536821.tif 000008
【図７】
2016536821.tif 000009
【図８】
2016536821.tif 000010
【図９】
2016536821.tif 000011
【図１０】
2016536821.tif 000012
【図１１】
2016536821.tif 000013
【国際調査報告】
2016536821.tif 000014
2016536821.tif 000015
2016536821.tif 000016